(57)【特許請求の範囲】
【請求項１】
設置面に設けられた取付孔に取り付けられる照明装置において、
光源を有する光源ユニットと、
前記取付孔に収容され、前記光源ユニットを内挿して保持するための保持部と、
前記光源ユニットに固定され、該光源ユニットを前記保持部で保持した状態で該光源ユニットを内挿する方向に付勢する付勢部を有する複数の板バネと
を備え、
前記保持部は、
前記板バネを挿通させて係止する複数の係止孔を、該保持部の前記取付孔に収容された部分に設けてあり、
前記板バネは、先端側に屈曲部を有し、
該屈曲部は、略Ｖ字状に形成した先端部を有し、
該先端部を前記係止孔の縁辺に係止させて前記光源ユニットを前記保持部に仮留めするように構成してあることを特徴とする照明装置。
【請求項２】
前記板バネは、
略水平方向に延びるように前記光源ユニットに固定されていることを特徴とする請求項１に記載の照明装置。
【請求項３】
前記先端部の先端は、
前記板バネが前記光源ユニットに固定された状態で下方を向くことを特徴とする請求項１又は請求項２に記載の照明装置。
【請求項４】
前記保持部は、
前記板バネを、前記係止孔を通じて前記保持部の内側から外側へ案内する案内部材を該係止孔の近傍に設けてあることを特徴とする請求項１から請求項３までのいずれか１項に記載の照明装置。
【請求項５】
前記光源ユニットは、箱体状をなし、
適長離隔させた少なくとも３つの板バネの組を対設して前記光源ユニットに固定してあり、
該組の板バネのうち両端側の２つの板バネは他の板バネより長いことを特徴とする請求項１から請求項４までのいずれか１項に記載の照明装置。
【発明の詳細な説明】
【技術分野】
【０００１】
本発明は、天井などの設置面に設けられた取付孔に取り付ける照明装置に関する。
【背景技術】
【０００２】
近年、省電力化及び長寿命化に優れているとして蛍光灯や白熱灯に替わって発光ダイオード（ＬＥＤ）などを光源とする照明装置の開発が行われており、これらの照明装置は、住宅用の照明に限らず、オフィス又は店舗用の照明などに広く用いられつつある。
【０００３】
例えば、発光素子を配設した発光部を有する器具本体、器具本体を内周側に配設するとともに、器具本体の一端部を枢支する支持枠、器具本体の他端部に設けられ器具本体に対して移動して支持枠と係合するストッパー片を有する止め具、当該ストッパー片の移動を規制するロック機構などを備えることにより、天井等の被設置部への施工性を容易にすることができる照明器具が開示されている（特許文献１参照）。
【先行技術文献】
【特許文献】
【０００４】
【特許文献１】特開２０１０−１５３３１４号公報
【発明の概要】
【発明が解決しようとする課題】
【０００５】
しかしながら、特許文献１に開示された照明器具にあっては、止め具は、ネジ頭及び軸部の中間部に軸方向と直交する方向に突出させたストッパー片を一体に形成してあり、ネジ頭を回動することによりストッパー片を支持枠に係合させる。このため、照明器具を取り付けたときにネジ頭が露出するので外観上の美観を損ねる。特に、店舗などに用いられる場合には、照明装置の外観上の美観もユーザにとっては重大な関心事であり、美観に優れた照明装置が望まれていた。
【０００６】
本発明は斯かる事情に鑑みてなされたものであり、美観に優れた照明装置を提供することを目的とする。
【課題を解決するための手段】
【０００７】
本発明に係る照明装置は、設置面に設けられた取付孔に取り付けられる照明装置において、光源を有する光源ユニットと、前記取付孔に収容され、前記光源ユニットを内挿して保持するための保持部と、前記光源ユニットに固定され、該光源ユニットを前記保持部で保持した状態で該光源ユニットを内挿する方向に付勢する付勢部を有する複数の板バネとを備え、前記保持部は、前記板バネを挿通させて係止する複数の係止孔を、該保持部の前記取付孔に収容された部分に設けてあり、前記板バネは、先端側に屈曲部を有し、該屈曲部は、略Ｖ字状に形成した先端部を有し、該先端部を前記係止孔の縁辺に係止させて前記光源ユニットを前記保持部に仮留めするように構成してあることを特徴とする。
【０００８】
本発明にあっては、光源を有する光源ユニットと、取付孔に収容され、光源ユニットを内挿して保持するための保持部と、光源ユニットに固定され、当該光源ユニットを保持部に持着する複数の持着部材とを備える。すなわち、保持部は、例えば、天井などの設置面に設けられた取付孔に収容されるように固定される。光源ユニットを保持部へ内挿して、光源ユニットを保持部で保持する。そして、各持着部材を係止する複数の係止部を保持部の取付孔に収容された部分に設けてある。保持部の取付孔に収容された部分は、取付孔の内部、すなわち天井などの設置面の裏側等にあるので外部から目視することはできない。持着部材を係止する係止部を保持部の目視することができない箇所に設けることができるので、従来のようなネジ頭などが露出することなく、美観を向上させることができる。
また、持着部材は、光源ユニットを保持部で保持した状態で光源ユニットを内挿する方向に付勢する付勢部を有する板バネである。板バネは、例えば、薄板バネである。板バネの付勢部は、例えば、弾性力を持たせるため適宜の径で曲げ加工した部分である。係止部は、板バネを挿通させて係止する係止孔である。すなわち、板バネを係止孔で係止させた状態で、付勢部（板バネ）は光源ユニットを内挿する方向（例えば、光源ユニットを下方から上方に向けて保持部に内挿する場合には、上方向となる）に付勢するので、光源ユニットが設置面に近接する方向に押圧され、光源ユニットと設置面との隙間を小さくすることができ、光源ユニットの天井などの設置面との密着性を高めることができる。
また、板バネは、先端側に屈曲部を備える。
【０００９】
本発明に係る照明装置は、前記板バネは、略水平方向に延びるように前記光源ユニットに固定されていることを特徴とする。
また、本発明に係る照明装置は、前記先端部の先端は、前記板バネが前記光源ユニットに固定された状態で下方を向くことを特徴とする。
【００１１】
本発明に係る照明装置は、前記保持部は、前記板バネを、前記係止孔を通じて前記保持部の内側から外側へ案内する案内部材を該係止孔の近傍に設けてあることを特徴とする。
【００１２】
本発明にあっては、保持部は、係止孔を通じて板バネを保持部の内側から外側へ案内する案内部材を係止孔の近傍に設けてある。すなわち、光源ユニットを保持部に内挿する場合、板バネの屈曲部を係止孔近傍の案内部材に沿って摺動させることができ、板バネが係止孔の近傍で引っかかることなく板バネを容易に係止孔に挿通させることができる。そして、板バネを係止孔に挿通させて保持部の内側から外側へ案内することが容易になる。これにより、光源ユニットを保持部に内挿する（例えば、上方に押し上げる）ことが容易になり、光源ユニットの取付時の作業性が向上する。
【００１９】
本発明に係る照明装置は、前記光源ユニットは、箱体状をなし、適長離隔させた少なくとも３つの板バネの組を対設して前記光源ユニットに固定してあり、該組の板バネのうち両端側の２つの板バネは他の板バネより長いことを特徴とする。
【００２０】
本発明にあっては、光源ユニットは、箱体状をなし、適長離隔させた少なくとも３つの板バネの組を対設して光源ユニットに固定してある。例えば、光源ユニットの周りに、３つの板バネの組を対設し、６つの板バネで光源ユニットを保持する。これにより、大型又は重量の重い光源ユニットでも確実に保持することができる。また、当該組の板バネのうち両端側の２つの板バネは他の板バネより長いので、光源ユニットを保持部に仮留めする場合には、両端側の２つの板バネだけで光源ユニットを垂下させることができ、光源ユニットを保持部に容易に仮留めすることができる。
【発明の効果】
【００２１】
本発明によれば、従来のようなネジ頭などが露出することなく、美観を向上させることができる。
【図面の簡単な説明】
【００２２】
【図１】本実施の形態の照明装置の構成の一例を発光面側から見た外観斜視図である。
【図２】本実施の形態の照明装置の構成の一例を天井裏側から見た外観斜視図である。
【図３】本実施の形態の保持部の構成の一例を示す外観斜視図である。
【図４】本実施の形態の光源ユニットの構成の一例を示す外観斜視図である。
【図５】本実施の形態の板バネの一例を示す外観斜視図である。
【図６】本実施の形態の板バネの一例を示す平面図である。
【図７】本実施の形態の光源ユニットを保持部に保持する場合の様子を示す模式図である。
【図８】光源ユニットを仮留めした状態を示す模式図である。
【図９】仮留めした光源ユニットを保持部で保持させる途中の状態を示す模式図である。
【図１０】光源ユニットを保持部で保持した状態を示す模式図である。
【図１１】本実施の形態の照明装置の構成の他の例を示す説明図である。
【発明を実施するための形態】
【００２３】
以下、本発明をその実施の形態を示す図面に基づいて説明する。図１は本実施の形態の照明装置１００の構成一例を発光面側から見た外観斜視図であり、図２は本実施の形態の照明装置１００の構成の一例を天井裏側から見た外観斜視図である。なお、図１、図２では、便宜上天井を省略している。本実施の形態の照明装置１００は、いわゆる埋込み型の照明装置であり、光源ユニット１、光源ユニット１を保持する保持部２などを備える。保持部２は、箱体状をなし、天井などの設置面に設けられた取付孔に収容され（埋め込まれ）、内側に光源ユニット１を内挿して保持する。なお、図１、図２は、光源ユニット１が保持部２に内挿され保持された状態を示す。
【００２４】
光源ユニット１は、箱体状の金属製の外筐を有し、発光面の全面が開口してあり、開口を覆うように拡散板１１を備えるとともに、拡散板１１を囲むように外筐に周設された金属製の鍔部１２を備える。鍔部１２の外周には外板１４を立設してある。光源ユニット１を保持部に内挿して保持した場合、鍔部１２が取付孔近傍の天井面に近接し、外板１４が天井面に近接又は当接した状態で照明装置１００が設置される。
【００２５】
光源ユニット１は、光源としてのＬＥＤモジュール（不図示）を内部に取り付けてある。ＬＥＤモジュールの発光部（発光面）は、拡散板１１に対向するようにしてある。
【００２６】
ＬＥＤモジュールには、例えば、黄色蛍光体等を含む樹脂で青色ＬＥＤチップをモールドした擬似白色光を発光する複数の表面実装型のＬＥＤが基板に実装されたものであり、光源ユニット１は、当該ＬＥＤモジュールを適宜の配置で複数取り付けてある。なお、ＬＥＤは、擬似白色光を発するものに限定されず、例えば、電球色のＬＥＤでもよく、あるいはこれらの組み合わせでもよい。
【００２７】
拡散板１１は、光拡散性を有する乳白色のポリカーボネート樹脂製であり、ＬＥＤモジュールからの光を拡散して均一に面発光する。なお、ＬＥＤモジュールの複数のＬＥＤと拡散板１１との距離間隔は、ＬＥＤからの光を拡散板１１で十分拡散させて均一に面発光させるべく、複数の各ＬＥＤどうしの間隔以上の距離を設けてあることが好ましいが、当該距離間隔は、照明装置１００の機種あるいは型式などに応じて適宜設定することができる。
【００２８】
ＬＥＤモジュールが取り付けられる外筐の内面には、ＬＥＤモジュールからの光が拡散板１１で反射した反射光を再び拡散板１１の方へ反射するための反射板（不図示）を設けている。当該反射板には高反射率を有する酸化チタン等の白色塗料が塗布されたポリカーボネート等の樹脂板を用いることができる。また、反射板に代えて、ＬＥＤモジュールのＬＥＤを実装する基板に反射塗料を塗布することができる。あるいは、ＬＥＤモジュールが取り付けられた外筐の内面に反射塗料を塗布することもできる。
【００２９】
保持部２は、光源ユニット１の寸法より若干大きい寸法を有し、金属製の箱体状をなす。より具体的には、保持部２は、矩形状の天板２３と、天板２３の縁辺に垂設され、お互いに対向する側板２１、２２とを有し、光源ユニット１が内挿される側は開口してある。
【００３０】
天板２３には、適長離隔して挿通孔２３１を設けてある。挿通孔２３１には、天井等の設置面の取付孔の内部（天井裏など）に設けられた不図示のアンカーボルトを挿通し、ナット等を締結することにより、保持部２を取付孔に収容させた状態（天井等に埋め込んだ状態）で天井等に取り付けることができる。なお、挿通孔２３１の数は図２の例に限定されるものではなく、照明装置１００の寸法、形状等に応じて適宜決定することができる。
【００３１】
対向する側板２１には、係止部としての矩形状の係止孔２１１を適長離隔して形成してある。図１、図２の例では、それぞれの側板２１に２つの係止孔２１１を形成してあるが、係止孔２１１の数は図示された例に限定されるものではない。
【００３２】
係止孔２１１には、光源ユニット１の外筐に固定された持着部材としての板バネ５を挿通してあり、板バネ５を係止孔２１１に係止させることにより、光源ユニット１を保持部２に内挿して保持している。
【００３３】
側板２１、２２で囲まれる開口部には、側板２１、２２よりも外側に突出した底板２７を設けてあり、底板２７の外周には立板２８を立設してある。保持部２をアンカーボルト（不図示）等で天井等の取付孔に埋め込むようにして取り付けた場合、立板２８が天井面に当接した状態となる。
【００３４】
図３は本実施の形態の保持部２の構成の一例を示す外観斜視図であり、図４は本実施の形態の光源ユニット１の構成の一例を示す外観斜視図である。図３に示すように、保持部２は、天板２３、側板２１、２２で構成された一面側が開口する箱体状をなす。光源ユニット１は、保持部２の開口から上方に向かって挿入（内挿）され、板バネ５が係止孔２１１で係止する位置で保持される。
【００３５】
天板２３の内面には、光源ユニット１内のＬＥＤモジュールに所要の電力を供給するための電源部７を設けている。電源部７と光源ユニット１との間には、不図示の配線を接続することにより、電源部７から電力が光源ユニット１へ供給される。
【００３６】
図３に示すように、側板２１には、板バネ５を係止する矩形状の係止孔２１１を形成してある。係止孔２１１の上方（天板２３方向）の縁辺（係止孔２１１の近傍）には、光源ユニット１を保持部２に取り付ける際に、板バネ５を側板２１（保持部２）の内側から外側へ案内する案内部材としての矩形状の案内板２１２を設けている。案内板２１２は、保持部２（側板２１）の上方から下方に向かって（天板２３側から開口側に向かって）内側に傾斜している。
【００３７】
案内板２１２は、板バネ５が保持部２（側板２１）の内側から係止孔２１１を通じて保持部２（側板２１）外側へ挿通させる際に、板バネ５が保持部２の内面（側板２１の内面）に引っ掛かることによりスムーズに係止孔２１１に挿通できない事態を防止するものである。
【００３８】
図４に示すように、光源ユニット１は、外筐を構成する上板１６及び上板１６の縁辺に垂設され、お互いに対向する横板１３、１５などを有する。上板１６の略中央には、光源ユニット１と保持部２とを繋ぐワイヤの先端に設けられたフック（不図示）を引掛けるための引掛金具１６１を設けている。当該ワイヤは、不測の事態により光源ユニット１が落下することを防止するためのものである。
【００３９】
横板１３には、適長離隔させるとともに保持部２の係止孔２１１に対応した位置に板バネ５をネジ等で固定してある。なお、板バネの固定は、ネジに代えて溶接等で固定してもよい。板バネ５は、薄板の略矩形状をなし、所要の付勢力を有し、光源ユニット１に固定した状態では、当該付勢力により、板バネ５の長辺方向が略横方向（略水平方向、あるいは横板１３の表面と略垂直方向）になる。
【００４０】
鍔部１２の外周に立設された外板１４と横板１３、１５との間には、内板１７を鍔部１２から立設してある。光源ユニット１を保持部２に保持した状態では、外板１４と内板１７との間に保持部２の底板２７が配置される。
【００４１】
図５は本実施の形態の板バネ５の一例を示す外観斜視図であり、図６は本実施の形態の板バネ５の一例を示す平面図である。図５、図６に示すように、板バネ５は、金属製（例えば、ステンレス鋼など）の薄板バネであり、光源ユニット１に固定するための固定部５５、適宜の径で曲げ加工され板バネ５の付勢力を有する付勢部５１、付勢部５１から先端側へ延設した延設部５２、先端側を屈曲させた屈曲部５３、略Ｖ字状に形成した先端部５４などを備える。板バネ５の厚みは、例えば、０．４ｍｍ程度とすることができるが、これに限定されるものではない。
【００４２】
固定部５５は、断面形状がＬ字状であり、光源ユニット１の上板１６及び横板１３の角部に固定部５５を当接させ、ネジ穴５５１、５５２にネジを挿通させ締結することにより、板バネ５を光源ユニット１に固定することができる。ネジ穴５５１を設けることにより、板バネ５を横板１３に対して固定することができ、板バネ５を撓ませた場合でも、板バネ５を変形させることなく確実に光源ユニット１に固定した状態を維持することができる。また、ネジ穴５５２を設けることにより、板バネ５がネジ穴５５２を中心として回転移動することを防止することができる。
【００４３】
付勢部５１は、断面形状が略Ｓ字状をなし、適宜の径を有して曲げ加工され、バネとしての弾性力（付勢力）をもたせることができる。
【００４４】
図６に示すように、固定部５５及び付勢部５１の幅Ｗ１は、延設部５２の幅Ｗ２より広い（大きい）。すなわち、付勢部５１より先端側の延設部５２は付勢部５１よりも狭幅である。光源ユニット１に固定した板バネ５に生じる応力は、付勢部５１又は付勢部５１近傍（例えば、固定部５５）で最も大きくなるので、延設部５２よりも付勢部５１の幅を広くすることにより、板バネ５を介して光源ユニット１を保持部２に保持する場合の強度を高めることができる。また、板バネ５の延設部５２の幅を狭くすることにより、光源ユニット１を保持部２に内挿する場合に、板バネ５を係止孔２１１に挿通させる際、板バネ５の延設部５２を容易に撓めることができ、光源ユニット１の取付時の作業性が向上する。
【００４５】
また、板バネ５の幅を先端側に向かって徐々に狭くしてある（先細にしてある）。光源ユニット１を保持部２に内挿する場合に、板バネ５の先端側（先端部５４）の幅を最も狭くしてあるので、板バネ５を係止孔２１１に挿通することが容易になる。また、板バネ５は、付勢部５１の方に向かって徐々に幅が広くなるので、例えば、板バネ５を係止孔２１１で係止させた状態で、係止孔２１１近傍の板バネ５の幅を係止孔２１１の幅と略同寸法にすることにより、板バネ５の幅方向（水平方向）のガタを少なくすることができる。これにより、板バネ５を係止孔２１１に係止するだけで、光源ユニット１の横方向あるいは水平方向（板バネ５の幅方向）のズレを抑制することができ、光源ユニット１を確実に保持することができる。
【００４６】
図７は本実施の形態の光源ユニット１を保持部２に保持する場合の様子を示す模式図である。図７に示すように、保持部２は、天井３００の取付孔３０１に保持部２の大部分を収容した状態（すなわち保持部２の上側の大部分を天井３００の裏側に配置した状態）で天井３００に取り付けられる。保持部２の底板２７が取付孔３０１の周縁から突出した状態で天井３００の一部（取付孔３０１の周縁近傍）を覆う。また、立板２８は、天井３００に当接した状態で保持部２が天井に取り付けられる。
【００４７】
光源ユニット１を保持部２に内挿して保持する場合、まず光源ユニット１の一方側の板バネ５（上述の例では、２つの板バネ５）を図中符号Ａで示す方向に撓ませる。そして、略Ｖ字状の先端部５４を係止孔２１１の縁辺に係止することにより、光源ユニット１を保持部２から垂下させて仮留めする。この状態では、光源ユニット１は略垂直方向に吊り下げられた状態となる。
【００４８】
次に光源ユニット１の他方側の板バネ５（上述の例では、２つの板バネ５）を図中符号Ａで示す方向に撓ませる。そして、略Ｖ字状の先端部５４を係止孔２１１の縁辺に係止することにより、光源ユニット１が水平になるように保持部２から垂下させて仮留めする。
【００４９】
板バネ５の略Ｖ字状に形成した先端部５４を保持部２の係止孔２１１の縁辺に係止させて光源ユニット１を保持部２に仮留めすることができるので、例えば、光源ユニット１に配線を接続するような場合、配線作業空間（天井３００面と光源ユニット１の上板１６との間の空間）を確保することができるとともに、光源ユニット１を手で持つ必要がないので、光源ユニット１の取付時の作業性が向上する。
【００５０】
仮留めされた光源ユニット１を保持部２の開口部２０５から内挿して保持する場合には、光源ユニット１の一方側を図中符号Ｂで示す方向（下方から上方）に押し上げて、一方側の板バネ５の先端部５４、屈曲部５３、延設部５２の順序で係止孔２１１を挿通させ、板バネ５を側板２１の内側から外側（保持部２の内側から外側）へ挿通させる。そして、付勢部５１（付勢部５１の一部）が係止孔２１１を挿通したときに、板バネ５が元の形状に戻るように付勢部５１の付勢力が働く。
【００５１】
同様に、光源ユニット１の他方側を図中符号Ｂで示す方向（下方から上方）に押し上げて、他方側の板バネ５の先端部５４、屈曲部５３、延設部５２の順序で係止孔２１１を挿通させ、板バネ５を側板２１の内側から外側（保持部２の内側から外側）へ挿通させる。そして、付勢部５１（付勢部５１の一部）が係止孔２１１を挿通したときに、板バネ５が元の形状に戻るように付勢部５１の付勢力が働く。
【００５２】
そして、光源ユニット１は保持部２に保持された状態となり、例えば、図１及び図２で例示した状態で光源ユニット１が保持部に２に保持される。
【００５３】
次に、光源ユニット１を保持部で保持する場合の状態遷移について説明する。図８は光源ユニット１を仮留めした状態を示す模式図であり、図９は仮留めした光源ユニット１を保持部２で保持させる途中の状態を示す模式図であり、図１０は光源ユニット１を保持部２で保持した状態を示す模式図である。
【００５４】
図８に示すように、光源ユニット１は、板バネ５の略Ｖ字状の先端部５４を係止孔２１１の縁辺に係止することにより、保持部２に仮留めすることができる。
【００５５】
図９に示すように、仮留めした光源ユニット１を保持部２で保持させる場合、光源ユニット１を下方から上方へ押し上げる。板バネ５は、先端側を屈曲させた屈曲部５３を備える。また、保持部２は、屈曲部５３を含む板バネ５（延設部５２、付勢部５１）を、係止孔２１１を通じて保持部２の内側から外側へ案内する案内板２１２を係止孔２１１の近傍に設けてある。すなわち、光源ユニット１を保持部２に内挿する場合、板バネ５の屈曲部５３を係止孔２１１近傍の案内板２１２に沿って摺動させることができ、板バネ５が係止孔２１１の近傍で引っかかることなく板バネ５を容易に係止孔２１１に挿通させることができる。そして、板バネ５を係止孔２１１に挿通させて保持部２の内側から外側へ案内することが容易になる。これにより、光源ユニット１を保持部２に内挿する（例えば、上方に押し上げる）ことが容易になり、光源ユニット１の取付時の作業性が向上する。
【００５６】
図１０に示すように、光源ユニット１を保持部２に保持した状態では、板バネ５（付勢部５１）を係止孔２１１の縁辺で係止させた状態となる。この状態では、板バネ５は、付勢力により元の形状に戻ろうとするので、板バネ５と側板２１とが当接した箇所を基点として光源ユニット１を上方（図中符号Ｃで示す方向）に押し上げる力が働く。すなわち、板バネ５を係止孔２１１で係止させた状態で、付勢部５１（板バネ５）は光源ユニット１を内挿する方向（例えば、光源ユニット１を下方から上方に向けて保持部２に内挿する場合には、上方向となる）に付勢するので、光源ユニット１の外板１４の端部が天井３００面に近接する方向に押圧され、外板１４と天井３００面との隙間、すなわち光源ユニット１と天井３００面との隙間を小さくすることができ、光源ユニット１の天井などの設置面との密着性を高めることができる。
【００５７】
また、図１０に示すように、光源ユニット１を保持部２に保持するための部材である、板バネ５、係止孔２１１が、天井３００の取付孔３０１に収容された保持部に設けてあるので、板バネ５及び係止孔２１１は、天井などの設置面の裏側等にあるので外部から目視することはできないので、従来のようなネジ頭などが露出することなく、美観を向上させることができる。天井３００を下方又は斜め方向から見上げた場合、ユーザは、光源ユニット１の拡散板１１、鍔部１２及び外板１４が見えるだけで、光源ユニット１を保持するための部材が隠されており、美観に優れあるいは意匠性に優れた照明装置を実現することができる。また、板バネ５の付勢力により、光源ユニット１の外板１４が天井３００面に近接又は密着させることができ、照明装置と天井３００面との隙間を小さく又は無くすことができ、さらに美観に優れあるいは意匠性に優れた照明装置を実現することができる。
【００５８】
図１１は本実施の形態の照明装置１００の構成の他の例を示す説明図である。図１１に示すように、光源ユニット１は、箱体状をなし、適長離隔させた少なくとも３つの板バネ５ａ、５ｂ、５ｃの組を対設して光源ユニット１に固定してある。例えば、光源ユニット１の周りに、３つの板バネの組を対設し、６つの板バネで光源ユニット１を保持する。これにより、大型又は重量の重い光源ユニット１でも確実に保持することができる。また、当該組の板バネのうち両端側の２つの板バネ５ａ、５ｂは他の板バネ５ｃより長いので、光源ユニット１を保持部２に仮留めする場合に、３つの板バネを同時に係止孔２１１に引掛ける必要がなく、両端側の２つの板バネ５ａ、５ｂだけを係止孔２１１に係止させて光源ユニット１を垂下させることができ、光源ユニット１を保持部２に容易に仮留めすることができる。
【００５９】
上述の実施の形態では、埋込みスクエア型の照明装置を例として説明したが、照明装置１００は、スクエア型に限定されるものではなく、円形型の照明装置でもよい。
【００６０】
また、上述の実施の形態では光源としてＬＥＤモジュールを備える例で説明したが、光源はＬＥＤモジュールに限定されるものではなく、ＥＬ（Electro-Luminescence）など他の光源でもよい。
【符号の説明】
【００６１】
１  光源ユニット
２  保持部
５、５ａ、５ｂ、５ｃ  板バネ
１１  拡散板
１２  鍔部
１３、１５  横板
１４  外板
１６  上板
１７  内板
２１  側板
５１  付勢部
５２  延設部
５３  屈曲部
５４  先端部
２１１  係止孔
２１２  案内板
３０１  取付孔
【図１】
0005213988.tif 000002
【図２】
0005213988.tif 000003
【図３】
0005213988.tif 000004
【図４】
0005213988.tif 000005
【図５】
0005213988.tif 000006
【図６】
0005213988.tif 000007
【図７】
0005213988.tif 000008
【図８】
0005213988.tif 000009
【図９】
0005213988.tif 000010
【図１０】
0005213988.tif 000011
【図１１】
0005213988.tif 000012